(57)【要約】【課題】気象情報を迅速に統合して提供する気象情報提供装置を提供する。【解決手段】気象情報が含まれる気象プロダクトＰＡ〜ＰＣを取得する受信部２１と、気象プロダクトＰＡ〜ＰＣが有する気象情報を気象項目毎に分類する気象データ編集部２２と、気象情報が気象情報表示装置３０により閲覧要求された場合、分類された気象情報を気象情報表示装置３０に気象項目毎に表示させる表示データを作成する表示データ作成部とを備えた気象情報提供装置２０。【選択図】      図１
2006317265.tif 000002
【特許請求の範囲】
【請求項１】
気象情報を端末に提供する気象情報提供装置であって、
前記気象情報が含まれる気象プロダクトを複数取得する取得手段と、
前記気象プロダクトが有する気象情報を項目毎に分類する分類手段と、
前記分類された気象情報を前記端末に項目毎に表示させる表示データを作成する作成手段と、
前記端末からの要求に応じて前記表示データを提供する提供手段と
を備えたことを特徴とする気象情報提供装置。
【請求項２】
請求項１に記載の気象情報提供装置において、
前記分類手段は、前記気象情報を観測情報と予測情報とに更に分類し、
前記作成手段は、前記観測情報と前記予測情報とを前記端末の同一画面上に表示させる表示データを作成することを特徴とする気象情報提供装置。
【請求項３】
請求項１又は請求項２に記載の気象情報提供装置において、
前記作成手段は、前記気象プロダクトのうち選択された気象プロダクトに係る気象情報を、前記端末の同一画面上に合成して表示させる表示データを作成することを特徴とする気象情報提供装置。
【請求項４】
請求項１乃至請求項３のいずれか１項に記載の気象情報提供装置において、
前記作成手段は、前記気象プロダクトのうち選択された気象プロダクトに係る気象情報を、前記端末の同一画面上に分割して表示させる表示データを作成することを特徴とする気象情報提供装置。
【請求項５】
気象情報を端末に提供する気象情報提供方法であって、
前記気象情報が含まれる気象プロダクトを複数取得する取得ステップと、
前記気象プロダクトが有する気象情報を項目毎に分類する分類ステップと、
前記分類された気象情報を前記端末に項目毎に表示させる表示データを作成する作成ステップと、
前記表示データを端末からの要求に応じて提供する提供ステップと
を備えたことを特徴とする気象情報提供方法。
【請求項６】
気象情報を端末に提供する気象情報提供装置に用いられるプログラムであって、
前記気象情報が含まれる気象プロダクトを複数取得する取得手段、
前記気象プロダクトが有する気象情報を項目毎に分類する分類手段、
前記分類された気象情報を前記端末に項目毎に表示させる表示データを作成する作成手段、及び
前記表示データを端末からの要求に応じて提供する提供手段
として前記気象情報提供装置のコンピュータを機能させるためのプログラム。
【請求項７】
気象プロダクトを提供する気象プロダクト提供装置と、
前記気象プロダクトから表示データを作成する気象情報提供装置と、
前記表示データを表示する気象情報表示装置と
を備えた気象情報表示システムにおいて、
前記気象情報提供装置は、
気象情報が含まれる気象プロダクトを複数取得する取得手段と、
前記気象プロダクトが有する気象情報を項目毎に分類する分類手段と、
前記分類された気象情報を前記気象情報表示装置に項目毎に表示させる表示データを作成する作成手段と、
前記表示データを端末からの要求に応じて提供する提供手段と
を備え、
前記気象情報表示装置は、
前記表示データを受信する受信手段と、
前記受信された表示データを表示する表示手段と
備えたことを特徴とする気象情報表示システム。
【発明の詳細な説明】
【技術分野】
【０００１】
本発明は気象情報を統合的に提供する気象情報提供装置に係り、特に気象情報を迅速に統合して提供する気象情報提供装置に関する。
【背景技術】
【０００２】
近年、気象に係わる機関又は施設（以下、気象関係機関という）から配信される気象情報は、レーダ情報、アメダス、ＲＳＭ（領域数値予報モデル）等の各観測システムや予測演算システム毎に分類された「プロダクト」という単位で提供される。従って、雨量、降雨強度、気温、風向、風速等の気象項目毎の情報は、プロダクト毎に存在する。
【０００３】
プロダクトは、気象情報を種々の観点から観測したり予測したりするものであり、ネットワークを介して配信される。そのため、気象情報の利用者（エンドユーザ）は、利用目的に合致したプロダクトを端末装置にて受信する必要があり、受信された気象情報は当該端末装置の表示画面に表示される。
【０００４】
ところで、プロダクト毎に気象情報が提供されているため、特定の気象項目に関する情報について統合的に利用する場合、各プロダクトから当該気象項目に関する気象データを取得する必要がある。
【０００５】
例えば、雨の情報を取得したい場合、レーダ情報のプロダクトを受信して雨データを取得する。次に、アメダスのプロダクトを受信して雨データを取得する。さらに、予測データを見たい場合には、ＲＳＭのプロダクトを受信して雨データを取得する。これにより、雨の情報を統合的に利用できるようになる。
【０００６】
なお、利用者側の特定利用の要求を満たす装置として、特許文献１に示されるような気象情報提供システム等が提案されている。
【特許文献１】特開２００２−３２８１７７号公報
【発明の開示】
【発明が解決しようとする課題】
【０００７】
上述したように、特定の気象項目に関する情報を統合的に利用する場合、各プロダクトのデータをそれぞれ受信する必要がある。そのため、エンドユーザは当該気象情報を迅速に利用できないことがある。
【０００８】
本発明の目的は、各プロダクトの気象情報を要求に応じて、迅速に統合して提供できる気象情報提供装置を提供することである。
【課題を解決するための手段】
【０００９】
本発明に係る気象情報提供装置は、上記課題を解決するために、気象情報が含まれる気象プロダクトを複数取得する取得手段と、気象プロダクトが有する気象情報を項目毎に分類する分類手段と、分類された気象情報を前記端末に項目毎に表示させる表示データを作成する作成手段と、端末からの要求に応じて前記表示データを提供する提供手段とを備える。
【発明の効果】
【００１０】
本発明によれば、各プロダクトの気象情報を要求に応じて、迅速に統合して提供できる。
【発明を実施するための最良の形態】
【００１１】
以下、図面を参照して本発明の実施形態を説明する。
【００１２】
なお、以下の各実施形態において、各気象プロダクトのデータに含まれる雨量、降雨強度、気温、風向、風速等の気象項目毎の気象データを「要素データ」という。
【００１３】
＜第1の実施形態＞
図１は本発明の第１の実施形態に係る気象情報表示システム５の構成を示す模式図である。
【００１４】
気象情報表示システム５は、気象プロダクトを提供する気象プロダクト提供装置１０と、気象プロダクトから表示データを作成して提供する気象情報提供装置２０と、表示データを表示する気象情報表示装置３０とを備える。なお、気象情報提供装置２０と気象情報表示装置３０とはサーバ／クライアント方式の構成である。
【００１５】
気象プロダクト提供装置１０Ａ〜１０Ｃは、各気象関係機関に備えられるものであり、レーダ情報のプロダクトＰＡ、アメダス情報のプロダクトＰＢ、ＲＳＭのプロダクトＰＣの３つのプロダクトを、それぞれ配信するものである。なお、レーダ情報のプロダクトＰＡは降雨レーダ装置により上空の降雨強度を測定する気象プロダクトであり、アメダス情報のプロダクトＰＢは地上の観測地点にて測定する気象プロダクトであり、ＲＳＭのプロダクトＰＣは領域数値予報モデルにより現在の大気の状態をモデル化して将来の大気を予測する気象プロダクトである。また、各気象プロダクトＰＡ〜ＰＣのデータには、気象項目毎の気象データと、その気象の地図上での位置に対応する位置データとが含まれる。
【００１６】
気象情報提供装置２０は、受信部２１と、気象データ編集部２２と、観測情報履歴管理部２３と、予測情報履歴管理部２４と、表示データ作成部２５と、気象アクセス提供部２６と、処理部（図示せず）とを備え、気象プロダクト提供装置１０から配信される気象プロダクトのデータをリアルタイムで受信・保存・管理するサーバである。なお、コンピュータが、記録媒体に記録されている気象情報提供プログラムを読み込み実行することで、気象情報提供装置２０としての各機能が実現される。
【００１７】
受信部２１は、定められたプロトコルに従って各気象プロダクトのデータを定周期で受信するものであり、複数の気象プロダクトのデータを取得する。また、受信部２１は、受信処理を効率的に行なうため、気象プロダクト提供装置１０から配信されたプロダクトのデータを、加工せずにそのままの状態でメモリに展開する。そして、受信完了後に、気象データ編集部２２にプロダクトのデータを送出する。
【００１８】
気象データ編集部２２は、受信した気象プロダクトのデータを気象項目毎の要素データに分類するものである。例えば、雨情報としてレーダ情報のプロダクトから降雨強度データを抽出し、次にアメダス情報のプロダクトから１時間当りの雨量データを抽出し、さらにＲＳＭのプロダクトから各予測時間の降雨強度データを抽出する。抽出した要素データは、雨情報として統合される。
【００１９】
なお、気象データ編集部２２は、要素データの分類する際、観測データと予測データとに更に分類する。ここで、観測データとは、プロダクトＰＡ及びプロダクトＰＢにおけるレーダ情報及びアメダス等の観測システムに基づいて提供される気象データであり、予測データとはプロダクトＰＣにおけるＲＳＭ等の予測システムに基づいて提供される気象データである。
【００２０】
観測情報履歴管理部２３及び予測情報履歴管理部２４は、メモリに展開された各要素データが更新される度に起動し、気象データ編集部２２により分類された観測データと予測データとを履歴データとして保存するものである。ここでは、日時をキーとして、その時間帯の観測データ及び予測データが対に保存される。なお、これにより後述する表示データ作成時に、すばやくデータを作成できる。
【００２１】
表示データ作成部２５は、気象情報が気象情報表示装置３０により閲覧要求された場合、分類された気象情報を気象情報表示装置３０に気象項目毎に表示させる表示データを作成するものである。具体的には、表示データ作成部２５は、気象項目毎に個別に表示させる個別表示データＤ１と、複数のプロダクトの共通する気象項目に係る要素データを重ね合わせて表示する合成表示データＤ２と、複数のプロダクトの共通する気象項目に係る要素データを比較表示する比較表示データＤ３と、表示データＤ１〜Ｄ３に対して、必要に応じて観測データと予測データとを結合して表示する観測・予測結合表示データＤ４とを作成する。
【００２２】
個別表示データＤ１は、気象項目毎に選択された要素データを、気象情報表示装置３０に表示させるデータである。なお、気象情報表示装置３０が気象情報提供装置２０にアクセスした際の個別表示データＤ１は、予めデフォルトとして定義されているプロダクトの要素データを表示させる。
【００２３】
合成表示データＤ２は、２以上のプロダクトの要素データを合成した有効な気象情報を気象情報表示装置３０に表示させるデータである。例えば、降雨強度と、時間雨量と、更に有効と思われる観測データと予測データとの差分データとを一覧として表示させる（図２（Ａ）参照）。
【００２４】
比較表示データＤ３は、２以上のプロダクトの要素データを組合せて、気象情報表示装置３０に表示させるデータである。合成表示データＤ２とは異なり、２以上のプロダクトの要素データを気象情報表示装置３０の同一画面上に個別に表示させる。すなわち、マルチ表示画面として、表示させるデータである。例えば、ＲＳＭ情報と、時間雨量とを個別にマルチ表示させる（図２（Ｂ）参照）。これにより、迅速に気象情報のデータの比較が行なえる。
【００２５】
観測・予測結合表示データＤ４は、観測データと予測データとを結合して、気象情報表示装置３０に表示させるデータである。気象情報表示装置３０が気象情報提供装置２０にアクセスしている時刻を境にして、観測データと予測データとを表示させ、日時が変更してもシームレスに観測データ及び予測データを表示させる。例えば、気象項目として雨情報が選択された場合には、降雨強度、１時間雨量、予測降雨強度の各要素データが抽出され、降雨強度（レーダ情報）の表示から予測降雨強度（ＲＳＭ）の表示への変化をシームレスに表示させる表示データが作成される（図２（Ｃ）参照）。
【００２６】
なお、ここでは、表示データＤ１〜Ｄ４は地図上に気象データを表示させているが、地図以外にもグラフを用いて気象データを表示させてもよい。
【００２７】
気象情報アクセス部２６は、気象情報表示装置３０からの気象情報の閲覧要求を受信し、各種表示データＤ１〜Ｄ４を送信するものである。すなわち、気象情報表示装置３０からのアクセスに対して、表示データを随時提供する。
【００２８】
なお、気象情報提供装置２０の図示しない処理部は、各構成部のデータの入出力等を処理するものである。
【００２９】
気象情報表示装置３０は、通常のコンピュータであり、ＣＰＵ，メモリ，ディスク，キーボード，各種インターフェース等で構成される。また、気象情報表示装置３０に対して表示データを要求して受信する送受信部と、受信された表示データを表示する表示部とを備える。
【００３０】
（気象情報提供装置の動作）
次に、本実施形態に係る気象情報提供装置２０の動作を図３のフローチャートを用いて説明する。
【００３１】
始めに、気象情報提供装置２０の受信部２１により、複数の気象関係機関から気象プロダクトＰＡ〜ＰＣが取得される（Ｓ１）。具体的には、各気象関係機関が有する気象プロダクト提供装置１０Ａ〜１０Ｃに、受信部２１が定期的にアクセスすることにより、複数の気象プロダクトＰＡ〜ＰＣのデータが取得される。
【００３２】
受信された気象プロダクトのデータは、気象データ編集部２２により、気象項目毎の要素データに分類される（Ｓ２）。なお、要素データは、気象データ編集部２２により分類される際に、観測データと予測データとに更に分類される。
【００３３】
分類された要素データは、観測情報履歴管理部２３及び予測情報履歴管理部２４により、保存される（Ｓ３）。この際、日時をキーとして観測データ及び予測データが対に保存される。
【００３４】
ここで、気象情報表示装置３０から表示データの送信要求があった場合には、保存された要素データから、表示データ作成部２５により、各種表示データＤ１〜Ｄ４が作成される（Ｓ４）。
【００３５】
作成された表示データＤ１〜Ｄ４は、気象情報アクセス部２６により気象情報表示装置３０に送信される（Ｓ５）。
【００３６】
上述したように、本実施形態に係る気象情報提供装置２０は、気象情報が含まれる気象プロダクトＰＡ〜ＰＣを取得する受信部２１と、気象プロダクトＰＡ〜ＰＣが有する気象情報を気象項目毎に分類する気象データ編集部２２と、気象情報が気象情報表示装置３０により閲覧要求された場合、分類された気象情報を気象情報表示装置３０に気象項目毎に表示させる表示データＤ１〜Ｄ４を作成する表示データ作成部２６とを備えているので、気象情報を迅速に統合して提供でき、エンドユーザが必要とする気象状況を的確に提供できる。
【００３７】
すなわち、気象情報提供装置２０は、各種表示データＤ１〜Ｄ４を作成するので、エンドユーザは種々の観点（空間的、ピンポイント、傾向、平面的等）から気象状況を捉えることができる。
【００３８】
さらに、受信部２１の機能拡張をすれば、気象関係機関が増加した場合でも、将来的な伝送手順の変更や新しいプロダクトの追加に柔軟に対応できる。すなわち、エンドユーザに各プロダクトの違いを意識させずに、必要とする気象情報を、すばやく提供できる。
【００３９】
また、気象データ編集部２２は要素データを観測データと予測データとに更に分類し、気象データ作成部２６は観測データと予測データとを気象情報表示装置３０の同一画面上にシームレスに表示する観測・予測結合表示データＤ４を作成することで、気象情報を統合的に提供できる。例えば、観測・予測結合表示データにより、観測データと予測データとの比較ができるので、気象関係機関が提供する予測情報の評価に有効である。また、エンドユーザ独自の気象状況の把握にも有効である。
【００４０】
また、気象データ編集部２２は、プロダクト毎の伝送データを解析し、必要な要素データに分類するので、要素毎の表示データを比較的容易に作成できる。また、合成表示データＤ２や比較表示データＤ３を作成する際にも、データアクセスを高速に行なえる。なお、気象データ編集部２２は、要素データを分類する際、配信元の情報を極力吸収する。そのため、伝送フォーマットの変更や、追加プロダクトからの要素データの抽出等の対応が容易に行なえる。
【００４１】
さらに、観測情報履歴管理部２３及び予測情報履歴管理部２４は、日時をキーとして、その時間帯の観測データ及び予測データを対にして保存する。これにより、合成表示データＤ２、比較表示データＤ３等の作成に際し、すばやくデータを作成できる。
【００４２】
また、気象データ作成部２６は、個別表示データＤ１を作成する。これにより、エンドユーザに複雑な操作をさせることなく、表示画面の切替えを可能とする。
【００４３】
さらに、気象データ作成部２６は、気象プロダクトＰＡ〜ＰＣのうち選択された気象プロダクトに係る気象情報を、気象情報表示装置３０の同一画面上に合成して表示する合成表示データＤ２を作成するので、気象情報を統合的に提供できる。例えば、レーダで観測した降雨と地上雨量計で測定した雨量とを同時に合成して気象情報表示装置３０に表示させる事により、エンドユーザに雨の状況を空間的に把握させることができる。なお、他の組合せにより各種傾向を把握させることができるのは言うまでもない。
【００４４】
また、気象データ作成部２６は、気象プロダクトＰＡ〜ＰＣのうち選択された気象プロダクトに係る気象情報を、気象情報表示装置３０の同一画面上に分割して表示させる比較表示データＤ３を作成するので、気象情報を統合的に提供できる。ここでは、ＲＳＭと時間雨量とを別々の画面に分割して、マルチ表示させている。これにより、同一地域の予測降雨と実績降雨とを視覚的に把握できる。
【００４５】
なお、比較表示データ作成に際し、特定地点の要素データをグラフ表示させたり、指定地点周辺のデータと全地点の平均化したデータとを比較したデータを表示させたりすることにより、予測データの評価させる事ができる。
【００４６】
さらに、気象データ作成部２６は、観測・予測結合表示データＤ４を作成する。これにより、過去の傾向と未来の傾向とを容易に把握させることができる。例えば、ある地域における過去と未来の降雨状況を地図上に表示させることで、傾向を容易に把握させることができる。なお、特定の地点を選択し、グラフ等で表示させることも有効である。
【００４７】
なお、本実施形態において、プロダクトとしてレーダ情報、アメダス、ＲＳＭを例示し、要素データとして雨情報を例示したが、その他のプロダクトや要素データに対しても同様の考え方が適用できることは言うまでもない。
【００４８】
＜第２の実施形態＞
本発明の第２の実施形態は、第１の実施形態の具体例であり、気象データ編集部における共通化処理の方法を具体化したものである。
【００４９】
図４は本発明の第２の実施形態に係る気象情報提供装置２０の気象データ編集部２０の概念を示す図である。なお、第１の実施形態で既に説明した部分と同一部分には同一符号を付し、ここでは異なる部分について主に述べる。なお、以下の各実施形態も同様にして重複した説明を省略する。
【００５０】
本実施形態において、プロダクトＰＡ〜ＰＣのレーダ情報、アメダス情報、ＲＳＭに加えて、独自予測情報のプロダクトＰＤを更に追加する。なお、独自予測情報とは、任意の気象関係機関による独自の気象予測情報を指す。
【００５１】
気象データ編集部２０は、予めプロダクト毎の表示処理方法や表示地図の範囲（緯度・経度）、表示地図の図法等のフォーマットを共通化しておき、各種プロダクトのデータを受信したタイミングで、気象データを共通化したデータに変換するものである。
【００５２】
補足すると、受信される各プロダクトの気象データは、それぞれの観測範囲や観測方法及び予測方法によって、緯度・経度，地域，メッシュ情報等の各種気象データを表示する上で必要な表示位置情報等のフォーマットが異なる。このため、ある特定地点の気象データを読み出す度に、表示位置情報等を共通化する共通化処理を実施する必要がある。そのため、気象データ編集部２０は気象データを共通化したデータに変換する。
【００５３】
具体的には、各プロダクトＰＡ〜ＰＤのデータ（独自予測、ＲＳＭ、気象レーダ、アメダス）を分類する際、各プロダクトＰＡ〜ＰＤのデータに含まれる要素データは要素データ毎に予め定義された変換フォーマットに従い変換され、位置データとともにメモリに展開される（Ｕ１）。これにより各プロダクトのデータが共通化データに変換される。ここでは、各要素データと予め設定された表示地図上の位置とが関連付けられたデータに変換される。また、その後の処理においては、気象データ等と位置データ等とは併せて保存されることとなる（Ｕ２）。
【００５４】
なお、各プロダクトのデータ（独自予測、ＲＳＭ、気象レーダ、アメダス）は、データ分類される際、プロダクト毎に割り当てられたデータＩＤが付加される。これにより、プロダクトが識別される（Ｕ３）。
【００５５】
次に、プロダクト毎に定義されている変換フォーマットについて説明する。
【００５６】
変換フォーマットＦＡ〜ＦＤは、各プロダクトＰＡ〜ＰＤの気象データを同一地図上で表示させるためのフォーマットであり、変換された気象データは共通地図情報と関連付けられる。
【００５７】
共通地図情報は、図５に示すように、表示図法、基準緯度、基準経度、表示メッシュ数、１メッシュ当りの距離等が定義されている。また、図６に示すように、地図の表示図法は、正角円錐図法を採用するものとする。
【００５８】
なお、各プロダクトのデータはそれぞれ以下に示すように変換される。
【００５９】
（i）レーダ情報のプロダクトＰＡの場合
レーダ情報のプロダクトＰＡにおいては、要素データの分類及びデータ内容は図７に示すものが列挙され、各要素データは図８に示すように共通地図上に表示されるようになる。
【００６０】
すなわち、要素データの分類としては、雨量等が挙げられる。これに対して、データ内容として、格納ヘッダデータ種別、格納ヘッダデータ種別、分子ＬＳＢ、分母ＬＳＢ、分子オフセット、分母オフセット等が定義されている。
【００６１】
また、プロダクトＰＡが内包する地域データのデータ領域のうち、定義されたパラメータ（基準緯度、基準経度、表示基準緯線、表示基準点、表示基準点距離、表示メッシュ数、表示メッシュ距離等）により表示される範囲が共通地図情報の表示領域となる。なお、データ領域のパラメータは、表示オフセット位置、1メッシュサイズ、座標のメッシュ数、座標の距離等により定義されている。
【００６２】
（ii）ＲＳＭのプロダクトＰＣの場合
ＲＳＭのプロダクトＰＣにおいては、要素データの分類として、図９に示すように、風成分、気圧、温位、降雨強度等が挙げられる。
【００６３】
また、各要素データは図１０に示すように共通地図上に表示されるようになる。他の点については、プロダクトＰＡと同様なので説明を省略する。
【００６４】
（iii）独自予測プロダクトＰＤの場合
独自予測情報のプロダクトＰＤにおいては、要素データの分類として、図１１に示すように、風成分、気圧、温位、降水強度（雨）、積算降水量（雨）、降水強度（雪）、積算降水量（雪）、降水強度（あられ）、積算降水量（あられ）等）が挙げられる。
【００６５】
また、各要素データは図１２に示すように共通地図上に表示されるようになる。他の点については、プロダクトＰＡと同様なので説明を省略する。
【００６６】
上述したように、本実施形態に係る気象情報提供装置２０においては、気象データ編集部２０は、各プロダクトＰＡ〜ＰＤのデータを共通地図情報に変換する共通化処理を実施するので、表示データ作成部２５が表示データを作成する際に、受信したプロダクトの全ての要素データを同一の共通地図に表示した表示データを作成できる。これにより、気象情報を迅速に統合して提供する気象情報提供装置２０を提供することができる。
【００６７】
なお、上述した共通化処理はプロダクトのデータを受信したタイミングで実施しており、画面上でプロダクトや表示領域が変わる度に演算処理をするものに比し、演算処理のレスポンスの悪化を抑えることができる。
【００６８】
＜第３の実施形態＞
本発明の第３の実施形態は、第１の実施形態の具体例であり、個別表示データＤ１が表示させる画面を具体化したものである。
【００６９】
図１３は本発明の第３の実施形態に係る個別表示データＤ１を表示する際の画面遷移を示す図である。
【００７０】
始めに、気象情報提供装置２０に、エンドユーザが気象情報表示装置３０を操作してアクセスすると、気象情報表示装置３０にはログイン画面が表示される（図１３（Ａ））。
【００７１】
次に、ログイン画面に、ログイン情報とパスワード情報とが入力されると、予め登録されたデフォルト画面が表示される（図１３（Ｂ））。表示される画面には、要素データ毎にシンボル画像Ｉ１〜Ｉ５が設定されており、シンボル画像Ｉ１〜Ｉ５をクリックすることで表示する要素データを切替えることができる。ここでは、シンボル画像Ｉ１〜Ｉ５は、それぞれ雨情報、気温情報、風情報、雷情報、天気予報情報を示すものである。なお、シンボル画像はこれに限られるものではないことは言うまでもない。
【００７２】
ところで、ログイン画面時の初期画面として、例えばＲＳＭのプロダクトを設定しておくと、ログイン時に、ＲＳＭの画像Ｇ１が表示され、同一画面上に利用可能なプロダクトの一覧が表示される。
【００７３】
次に、一覧から他のプロダクト（ここでは、レーダ情報）を選択すると、表示画面をレーダ情報の画像Ｇ２に切替えることができる（図１３（Ｃ））。
【００７４】
上述したように、本実施形態に係る気象情報提供装置２０は、気象項目毎に選択された要素データを、気象情報表示装置３０に表示させる個別表示データＤ１を提供しているので、エンドユーザに複雑な操作をさせることなく、表示画面の切替えを可能とする。
【００７５】
また、要素データをシンボル画像Ｉ１〜Ｉ５で表示しており、エンドユーザに視覚的に認識させることで、利便性を向上させている。
【００７６】
＜第４の実施形態＞
本発明の第４の実施形態は、第１の実施形態の具体例であり、合成表示データＤ２が表示させる画面を具体化したものである。
【００７７】
図１４は本発明の第４の実施形態に係る合成表示データＤ２を表示する際の画面遷移を示す図である。
【００７８】
気象情報表示装置３０の画面に、個別表示データＤ１が表示されるところまでの処理は、第３の実施形態と同様であるので説明を省略する。
【００７９】
個別表示データＤ１により表示された画面においては、選択可能なプロダクト一覧の一覧表が表示される（図１４（Ａ））。この一覧表は、各プロダクトをチェックボックスで選択できるようになっている。
【００８０】
ここで、チェックボックスを選択して、合成ボタンＢ１を押下すると、合成モードとなり、表示画面上に選択したプロダクトの合成表示データＤ２が表示される（図１４（Ｂ），（Ｃ））。
【００８１】
また、プロダクトの選択後は、一覧表に、選択したプロダクトの差分を表示させる差分データのチェックボックスが新たに表示される。そして、この差分データを選択すると、選択したプロダクトの差分を表示させることもできる。
【００８２】
例えば、レーダ情報のプロダクトとアメダスのプロダクトを選択し、合成ボタンを押下することで、共通地図上に、両者の雨情報に関する要素データが表示されることになる。
【００８３】
すなわち、レーダ情報の画像Ｇ２から、レーダ情報とアメダス情報とが合成された画像Ｇ３に、気象情報表示装置３０の画面が遷移する。
【００８４】
上述したように、本実施形態に係る気象情報提供装置２０は、気象プロダクトＰＡ〜ＰＣのうち選択された気象プロダクトに係る気象情報を、気象情報表示装置３０の同一画面上に合成して表示させる合成表示データＤ３を提供しているので、特定の気象項目についての傾向をエンドユーザに認識させることができる。
【００８５】
＜第５の実施形態＞
本発明の第５の実施形態は、第１の実施形態の具体例であり、比較表示データＤ３が表示させる画面を具体化したものである。
【００８６】
図１５は本発明の第５の実施形態に係る比較表示データＤ３を表示する際の画面遷移を示す図である。
【００８７】
気象情報表示装置３０の画面に、個別表示データＤ１が表示されるところまでの処理は、第３の実施形態と同様であるので説明を省略する。
【００８８】
まずプロダクトを選択する、利用可能なプロダクト一覧の一覧表が表示される（図１５（Ａ））。この一覧表は、各プロダクトをチェックボックスで選択できるようになっている。
【００８９】
ここでチェックボックスを選択して、比較ボタンＢ２を押下すると、表示画面が分割される比較モードとなり、表示画面上に選択したプロダクトが個別に表示される（図１５（Ｂ），（Ｃ））。
【００９０】
また、プロダクトの選択後は、一覧表に、選択したプロダクトの差分を表示させる差分データのチェックボックスが新たに表示される。そして、この差分データを選択すると、選択したプロダクトの差分を表示させることもできる。
【００９１】
例えば、レーダ情報のプロダクトＰＡとアメダスのプロダクトＰＢを選択し、比較ボタンＢ２を押下することで、両者の雨情報に関する要素データ（例えば、同一地域の降雨強度及び時間雨量）が個別に表示されることになる。
【００９２】
すなわち、レーダ情報の画像Ｇ２から、レーダ情報とアメダス情報とが同一画面上に個別に表示された画像Ｇ４に、気象情報表示装置３０の画面が遷移する。
【００９３】
上述したように、本実施形態に係る気象情報提供装置２０は、気象プロダクトＰＡ〜ＰＣのうち選択された気象プロダクトに係る気象情報を、気象情報表示装置３０の同一画面上に分割して表示させる比較表示データＤ３を提供しているので、特定の気象項目についての傾向をエンドユーザに認識させることができる。
【００９４】
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００９５】
また、この記憶媒体としては、プログラムを記憶でき、かつコンピュータが読み取り可能な記憶媒体であれば、その記憶形式は何れの形態であっても良い。
【００９６】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が上記実施形態を実現するための各処理の一部を実行しても良い。
【００９７】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００９８】
また、記憶媒体は１つに限らず、複数の媒体から上記実施形態における処理が実行される場合も本発明における記憶媒体に含まれ、媒体構成は何れの構成であっても良い。
【００９９】
尚、本発明におけるコンピュータは、記憶媒体に記憶されたプログラムに基づき、上記実施形態における各処理を実行するものであって、パソコン等の１つからなる装置、複数の装置がネットワーク接続されたシステム等の何れの構成であっても良い。
【０１００】
また、本発明におけるコンピュータとは、パソコンに限らず、情報処理機器に含まれる演算処理装置、マイコン等も含み、プログラムによって本発明の機能を実現することが可能な機器、装置を総称している。
【０１０１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に構成要素を適宜組合せてもよい。
【図面の簡単な説明】
【０１０２】
【図１】本発明の第１の実施形態に係る気象情報表示システム５の構成を示す模式図である。
【図２】同実施形態に係る表示データの概要を示す図である。
【図３】同実施形態に係る気象情報提供装置２０の動作を説明するためのフローチャートである。
【図４】本発明の第２の実施形態に係る気象情報提供装置２０の気象データ編集部２０の概念を示す図である。
【図５】同実施形態における共通地図情報の概要を示す図である。
【図６】同実施形態における地図の表示図法を示す図である。
【図７】同実施形態におけるプロダクトＰＡの要素データとデータ内容とを示す図である。
【図８】同実施形態におけるプロダクトＰＡの表示地図の概要を示す図である。
【図９】同実施形態におけるプロダクトＰＣの要素データとデータ内容とを示す図である。
【図１０】同実施形態におけるプロダクトＰＣの表示地図の概要を示す図である。
【図１１】同実施形態におけるプロダクトＰＤの要素データとデータ内容とを示す図である。
【図１２】同実施形態におけるプロダクトＰＤの表示地図の概要を示す図である。
【図１３】本発明の第３の実施形態に係る個別表示データＤ１を表示する際の画面遷移を示す図である。
【図１４】本発明の第４の実施形態に係る合成表示データＤ２を表示する際の画面遷移を示す図である。
【図１５】本発明の第５の実施形態に係る比較表示データＤ３を表示する際の画面遷移を示す図である。
【符号の説明】
【０１０３】
５・・・気象情報表示システム、１０・・・気象プロダクト提供装置、２０・・・気象情報提供装置、２１・・・受信部、２２・・・気象データ編集部、２３・・・観測情報履歴管理部、２４・・・予測情報履歴管理部、２５・・・表示データ作成部、２６・・・気象アクセス提供部、３０・・・気象情報表示装置、Ｄ１・・・個別表示データ、Ｄ２・・・合成表示データ、Ｄ３・・・比較表示データ、Ｄ４・・・観測・予測結合表示データ、Ｉ１〜Ｉ５・・・シンボル画像、Ｂ１・・・合成ボタン、Ｂ２・・・比較ボタン。
【図１】
2006317265.tif 000003
【図２】
2006317265.tif 000004
【図３】
2006317265.tif 000005
【図４】
2006317265.tif 000006
【図５】
2006317265.tif 000007
【図６】
2006317265.tif 000008
【図７】
2006317265.tif 000009
【図８】
2006317265.tif 000010
【図９】
2006317265.tif 000011
【図１０】
2006317265.tif 000012
【図１１】
2006317265.tif 000013
【図１２】
2006317265.tif 000014
【図１３】
2006317265.tif 000015
【図１４】
2006317265.tif 000016
【図１５】
2006317265.tif 000017